(57)【特許請求の範囲】
【請求項１】
記録データが記録される記録媒体において、
光ビームの最適なパワーを検出するための試書きデータが試書きされる試書き領域と、上記試書きデータが試書きされる他の試書き領域とを有し、
上記試書き領域は記録データ記録領域より内周側に定められた所定の領域に設けられるとともに、上記他の試書き領域は上記記録データ記録領域の外周側の領域に設けられ、
上記他の試し書き領域は光ビームの最適なパワーを検出するための複数の領域を含み、
上記複数の領域を含む他の試書き領域のアドレスは、上記記録媒体を再生して得られる、上記記録データ記録領域より内周側の領域に記録されたインデックス情報に基づいて特定される
記録媒体。
【請求項２】
上記記録媒体は、上記記録データ記録領域より内周側に設けられた管理領域に、
上記インデックス情報を記録している
請求項１に記載の記録媒体。
【請求項３】
上記管理領域はリードインエリアである
請求項２に記載の記録媒体。
【請求項４】
上記記録媒体は上記記録データ記録領域の外周側に他の管理領域を有し、
上記他の試書き領域を上記他の管理領域よりも外周側に設けた
請求項２に記載の記録媒体。
【請求項５】
記録媒体の記録データ記録領域に記録データを記録する記録装置において、
上記記録媒体の上記記録データ記録領域より内周側の所定の領域に設けられた試書き領域に、光ビームの最適なパワーを検出するための試書きデータを試書きする第１の手段と、
上記記録データ記録領域より内周側の領域に記録されたインデックス情報を再生して当該インデックス情報に基づいて、上記記録データ記録領域の外周側の領域に設けられかつ光ビームの最適なパワーを検出するための複数の領域を含む他の試書き領域のアドレスを特定して試書きデータを試書きする第２の手段と
を具える記録装置。
【発明の詳細な説明】
【０００１】
【発明の属する技術分野】
本発明は、記録装置及び記録媒体に関し、例えば同一箇所に一度だけ情報を書き込めるCD−R（Compact Disc-Recordable）等のライトワンス（WO：Write Once）型の光ディスクや、同一箇所に何度でも情報を書き直せるCD−RW等のリライタブル（RW：ReWritable）型の光ディスクにデータを読み書きする光ディスク装置に適用して好適なものである。
【０００２】
【従来の技術】
従来、この種の光ディスク装置においては、光ディスクに記録データに応じて変調した光ビームを照射するようにして記録データを記録するようになされている。
【０００３】
【発明が解決しようとする課題】
ところで上述のように光ディスクに光ビームを照射するようにして記録データを記録する場合、光ビームの強度が記録速度や光ディスクの材質に応じた所定の基準範囲を越えると、この光ディスクに形成される記録マークの長さが長短する（以下、この現象をアシンメトリと呼ぶ）ため、この記録マークに基づいて再生された記録データに雑音が発生するおそれがある。
【０００４】
そこでこの従来の光ディスク装置においては、記録データを光ディスクに記録する前に、記録されるマークのアシンメトリの発生を抑えることを目的として、光ディスクの最内周に設けられたパワーキャリブレーションエリア（PCA ；Power Calibration Area）内に試書きすることによって、その光ディスクに用いられている記録速度及び光ディスクの材質に最適な光ビームパワーを検出し、この検出した光ビームパワーで記録データを記録するようになされている。（以下、試書きから最適なパワーの検出に至る作業をパワーキャリブレーションと呼ぶ）。
【０００５】
ところがCD−R 等のライトワンス型の光ディスク装置では、パワーキャリブレーションをできる試書きの回数が最大で100 回と限られている。
【０００６】
このためかかる光ディスク装置では、ライトワンス型の光ディスクにおけるパワーキャリブレーションエリアを使い切った場合には、次回からはパワーキャリブレーションをすることなしに記録速度に応じたデフォルトパワーの光ビームで記録データを光ディスクに記録し、又は記録データの記録をしないようになされていた。
【０００７】
しかしながらデフォルトパワーの光ビームでデータを光ディスクに記録する場合には、このデフォルトパワーが記録速度に応じた最適な記録パワーから大きくずれていると、再生された記録データに雑音が発生するといった問題が生じ、他方記録データの記録をしない場合には、光ディスクに記録された記録データの追加又は更新が二度とできなくなるといった問題が生じる。
【０００８】
従ってかかる光ディスク装置において、パワーキャリブレーションエリアを使い切った後でも、光ビームの最適なパワーを検出し、当該検出したパワーの光ビームによる記録をすることができるようにすれば、データ記録の信頼性を向上させ得ると考えられる。
【０００９】
本発明は以上の点を考慮しなされたもので、データ記録の信頼性を向上し得る記録装置及び記録媒体を提案しようとするものである。
【００１０】
【課題を解決するための手段】
かかる課題を解決するため本発明においては、記録データを記録するデータ記録領域より内周側に試書き領域を有すると共に、外周側に他の試書き領域を有する記録媒体を基本構成として、当該他の試書き領域は光ビームの最適なパワーを検出するための複数の領域を含み、当該他の試書き領域のアドレスは、記録データ記録領域より内周側の領域に記録することにより記録媒体を再生して得られる、インデックス情報に基づいて特定されるようにする。
【００１２】
【発明の実施の形態】
以下図面について、本発明の一実施の形態を詳述する。
【００１３】
（１）実施の形態による光ディスク装置の構成
図１において、１０は全体として本実施の形態による光ディスク装置を示し、このホストコンピュータ１１から与えられるデータＤ１を光ディスク（CD−R 、CD−RW等）１２に記録したり、これを光ディスク１２から再生したりすることができるようになされている。
【００１４】
実際上光ディスク装置１０においては、記録モード時、ホストコンピュータ１１から順次与えられるデータＤ１をインターフェイス部（SCSI等）２０を介して内部に取り込み、これをエンコーダ部２１を介してバッファメモリ２２に順次格納する。
【００１５】
エンコーダ部２１は、レイヤードＥＣＣ（Error Correcting Code ）付加処理部２３、ＣＩＲＣ（Cross Interleave Reed-Solomon Code）エンコード処理部２４及びＥＦＭ（Eight to Fourteen Modulation）変調処理部２５から構成され、バッファメモリ２２に格納したデータＤ１をセクタ単位（２[Kbytes]単位）で順次読み出し、データＤ１に、レイヤードＥＣＣ付加部２３において誤り訂正符号を付加し、次にＣＩＲＣエンコード処理部２４においてＣＩＲＣエンコード処理及び同期データの挿入処理を施し、更にＥＦＭ変調処理部２５においてＥＦＭ変調を施した後、得られた書き込みデータＤ２をＲＦアンプ２６を介して光ピックアップ２７に送出する。
【００１６】
光ピックアップ２７は、レーザダイオード、コリメータレンズ、対物レンズ及び受光素子等の光学系デバイスと、レーザダイオードドライバ等の電気系デバイスとを有し、供給される書き込みデータＤ２に応じて変調した光ビームを、図２に示す光ディスク１２のプログラムエリアに照射する。
【００１７】
またこのとき光ピックアップ２７は、光ディスク１２からの反射光に基づいてトラッキングエラー信号及びフォーカスエラー信号等のサーボエラー信号Ｓ１と、プッシュプル信号Ｓ２とを生成し、サーボエラー信号Ｓ１をＲＦアンプ２６を介してサーボ制御部２８に送出すると共に、プッシュプル信号Ｓ２をＡＴＩＰ（Absolute Time In Pre-groove ）デコーダ部２９に送出する。
【００１８】
サーボ制御部２８は、供給されたサーボエラー信号Ｓ１に基づいてスレッドドライバ３２を介してスレッドモータ３３を制御することにより、光ディスク１２上に照射された光ビームのビームスポットを、当該記録面に形成されたデータトラック（プリグルーブ又はランド）に沿って光ディスク１２の径方向に移動させる。またサーボ制御部２８は、供給されたサーボエラー信号Ｓ１に基づいて２軸アクチュエータドライバ３４に光ピックアップ２７内の図示しない２軸アクチュエータを制御させることにより、トラッキング制御及びフォーカス制御をする。
【００１９】
一方、ＡＴＩＰデコーダ部２９は、供給されたプッシュプル信号Ｓ２をデコード処理することにより、光ディスク１２におけるそのときのビームスポットの絶対番地を検出し、これをＣＰＵ（Central Processing Unit ）３５に送出する。
【００２０】
すなわちＡＴＩＰデコーダ部２９は、プッシュプル信号Ｓ２をその内部に設けられた中心周波数を22.05[kHz]とする±1[kHz]の範囲のバンドパスフィルター回路を通すことによりプッシュプル信号Ｓ２に含まれるウオブル成分を抽出した後、このウオブル成分にＦＭ復調処理を施すことによりそのときにビームスポットが位置している光ディスク１２上の絶対番地を検出し、これをアドレス情報信号Ｓ３としてＣＰＵ３５に送出する。
【００２１】
またＡＴＩＰデコーダ部２９は、上述のデコード処理により得られる光ディスク１２上での絶対番地が変化する毎に（すなわち光ディスク１２におけるビームスポットが操作するセクタが変わる毎に）、これを知らせるシンク割込信号Ｓ４をＣＰＵ３５に送出する。
【００２２】
ＣＰＵ３５は、供給されたアドレス情報信号Ｓ３及びシンク割込信号Ｓ４に基づいて光ディスク１２におけるそのときの記録位置を順次認識するとともに、当該認識結果とホストコンピュータ１１により設定された記録速度とに基づいてサーボ制御部２８及びスピンドルドライバ３０を順次介してスピンドルモータ３１を制御させることにより、光ディスク１２を回転駆動させる。これによりＣＰＵ３５は、記録データＤ２を光ディスク１２に正しく記録する。
【００２３】
これに対して再生モード時、ＣＰＵ３５は、サーボ制御部２８を制御することにより、上述の記録モード時と同様にして、光ディスク１２を回転駆動させると共に、ビームスポットを光ディスク１２のデータトラックに沿って移動させ、かつトラッキング制御及びフォーカス制御をさせる。
【００２４】
またＣＰＵ３５は、光ピックアップ２７内のレーザダイオードを駆動することにより光ビームを光ディスク１２に向けて発射させる。この結果この光ビームが光ディスク１２の記録面において反射し、その反射光に基づいて得られるＲＦ信号で構成される読み出しデータＤ３が、光ピックアップ２７からＲＦアンプ２６を介してデコーダ部３６に送出される。
【００２５】
デコーダ部３６は、ＰＬＬ（Phase Locked Loop ）回路３７、同期データ検出部３８、ＥＦＭ復調部３９、ＣＩＲＣデコード部４０及びレイヤードＥＣＣ復調部４１から構成されており、ＰＬＬ回路３７において供給された読み出しデータＤ３からクロックＣＬＫを抽出し、このクロックＣＬＫ及び読み出しデータＤ３を同期データ検出部３８に送出する。
【００２６】
同期データ検出部３８は、供給されたクロックＣＬＫに基づいて読み出しデータＤ３から同期データＤsyncを順次検出すると共に、この検出結果に基づいて、読み出しデータＤ３を所定単位で順次ＥＦＭ復調部３９に送出する。
【００２７】
そしてこの読み出しデータＤ３は、この後ＥＦＭ復調部３９においてＥＦＭ復調処理され、ＣＩＲＣデコード部４０においてＣＩＲＣ復号化処理され、さらにレイヤードＥＣＣ復調部４１において誤り訂正処理が施されることにより記録前のフォーマットのデータＤ４に変換され、この後インターフェイス回路２０を介してホストコンピュータ１１に送出される。
【００２８】
このようにしてこの光ディスク装置１０は、ホストコンピュータ１１から供給されたデータＤ１を光ディスク１２に記録したり、この光ディスク装置１２に記録されているデータを再生してホストコンピュータ１１に送出したりすることができるようになされている。
【００２９】
（２）光ディスク１２のフォーマット
（２−１）光ディスク１２の物理的フォーマット
次に上述の光ディスク装置１０によりデータＤ１が記録される光ディスク１２の物理的フォーマットについて説明する。
【００３０】
この光ディスク１２の物理的フォーマットは、CDへのwrite 方式の規格書であるオレンジブックの規格に準拠している。
【００３１】
すなわちかかる光ディスク１２においては、図２に示すように、その中心から外周に向けて順に、記録データＤ１の記録前に光ディスク１２の最適な光ビームパワーが測定されるパワーキャリブレーションエリア（最大試書き実施可能回数：100 回）と、追記途中の光ディスク１２を取り出す時に記録情報やスキップ情報が一時的に記録されるプログラムメモリエリア（PMA ；Program Memory Area）と、光ディスク１２内における曲の番号等の各種のインデックス情報が記録されるリードインエリア（Lead-in Area）と、記録データＤ１が記録されるプログラムエリア（Program Area）と、プログラムエリアへの光ビーム軌道修正をするための領域であるリードアウトエリア（Lead-out Area ）とがそれぞれ設けられている。
【００３２】
このようにこの光ディスク１２では、オレンジブックの規格に準拠した従来構成の光ディスク装置を用いても、パワーキャリブレーション、記録及び再生をそれぞれすることができるようになされている。
【００３３】
かかる構成に加えてこの光ディスク１２の場合、リードアウトエリアの外周側に、パワーキャリブレーションエリアが使い切られた後に、このエリアに代わって光ディスク１２の最適な光ビームパワーが測定されるためのアウターパワーキャリブレーションエリア（OPCA；Outer Power Calibration Area）が設けられている。
【００３４】
このようにしてこの光ディスク装置１０においては、パワーキャリブレーションの実施回数を増加できるようになされている。
【００３５】
（２−２）光ディスク１２のリードインエリアの論理的フォーマット
次に光ディスク１２のリードインエリアの論理的フォーマットについて説明する。
【００３６】
リードインエリアには、図３に示すように、24ビットのフレーム同期情報と、サブコードＰ、Ｑ、Ｒ、Ｓ、Ｔ、Ｕ、Ｖ及びＷからなる８ビットデータが１シンボルとしてEFM （Eight to Fourteen Modulation）変調された14ビットのサブコード情報と、8 ビットのインデックス情報がそれぞれEFM 変調された14ビットのオーディオシンボルを32個つなげたものと、サブコード情報及び各オーディオシンボルに対する３ビットの接続ビット（図３において図示せず）とを１つの単位とするフレームが、順次結合されて記録されている。
【００３７】
そして図４に示すように、98フレームを1 つの単位として１ブロックが論理的に構成され、上述のサブコードＰ、Ｑ、Ｒ、Ｓ、Ｔ、Ｕ、Ｖ及びＷは、それぞれこの１ブロックに含まれる98ビットによって初めて意味のある情報をなす。
【００３８】
これらサブコードのうちのサブコードＱは、図５に示すように、光ディスク１２の中心から外周に向かって、2 ビットのブロック同期情報（通常Ｓ0 及びＳ1と称される）と、記録時に高音域をもちあげるプリエンファシスであるか否かを示す4 ビットのコントロール情報と、通常は0001に設定される4 ビットのアドレス情報と、記録データＤ１に係るインデックス情報が記録される72ビットのＱチャネルデータと、再生時にＱチャネルデータの誤りの検出及び訂正をするための16ビットのCRC （Cyclic Redundancy Code）情報とを表す。
【００３９】
そしてこのQ チャネルデータは、アドレス情報が0001である場合は、図６に示すように、光ディスク１２の中心から外周に向かって、光ディスク１２内における曲の番号を示すナンバ情報と、この曲の中での分割番号を示すインデックス情報と、その曲の頭からの先頭時間を示す3 バイトの曲内情報と、“00000000”が設定されるゼロ情報と、光ディスク１２の先頭からの経過時間を示す累積情報とを表す。
【００４０】
このようにサブコードＱのＱチャネルデータは、通常、光ディスク１２に記録された曲に係るインデックス情報を表すが、例外的に、複数の特定箇所のサブコードＱのＱチャネルデータが、光ディスク１２の物理的フォーマットに係る各種のインデックス情報を表すように、オレンジブックに規定されている。
【００４１】
この物理的フォーマットに係る各種のインデックス情報として、スペシャルインフォメーション（Special Information ）１、２、３と、アディショナルインフォメーション（Additional Information）1 、２、３とがある。
【００４２】
スペシャルインフォメーション１は光ディスク１２の種類（例えばCD−R かCD−RWか）等、スペシャルインフォメーション２はリードインエリアのスタートタイム、スペシャルインフォメーション３はリードアウトエリアのスタートタイム、アディショナルインフォメーション1 は光ディスク１２の記録速度の範囲等、アディショナルインフォメーション２は低速度記録及び高速度記録に対してアシンメトリの発生を抑えるのに適当な光ビームパワー等をそれぞれ表す。
【００４３】
かかる構成に加えてこの光ディスク１２の場合、従来リザーブ用として未使用であったアディショナルインフォメーション３に対応するＱチャネルデータの曲内情報には、アウターパワーキャリブレーションエリアのスタートアドレスであるアウターパワーキャリブレーションエリアアドレス（OPCAアドレス）が予め記録されている。
【００４４】
このアウターパワーキャリブレーションエリアアドレスにより、アウターパワーキャリブレーションエリアにおける記録長が定められる。
【００４５】
このようにしてこの光ディスク装置１０においては、アウターパワーキャリブレーションエリアにおける記録長に応じて、アウターパワーキャリブレーションエリアにおけるパワーキャリブレーションの実施回数が定められるようになされている。
【００４６】
（３）光ディスク装置１０のパワーキャリブレーション
次にこの光ディスク装置１０におけるパワーキャリブレーションについて説明する。
【００４７】
この光ディスク装置１０の場合、ホストコンピュータ１１から与えられるデータＤ１を光ディスク１２に記録するに際し、従来の光ディスク装置と同様に、パワーキャリブレーションエリア内において試書きをし、この試書き結果に基づいて記録時における光ビームのパワーを設定するが、この際パワーキャリブレーションエリアを使い切ると、次回からは光ディスク１２の最外周に設けられた図２に示すアウターパワーキャリブレーションエリア内において試書きをするようになされている。
【００４８】
この場合ＣＰＵ３５は、上述のように、ＡＴＩＰデコーダ部２９から供給されたアドレス情報信号Ｓ３及びシンク割込信号Ｓ４に基づいて光ディスク１２におけるそのときの現在位置を順次認識する共に、この認識結果に基づいてスピンドルモータ３０、スレッドモータ３３及び２軸アクチュエータを制御することにより、光ディスク１２における光ビームのビームスポットが図２に示すリードインエリア内に入るように光ピックアップ２７を光ディスク１２の径方向に移動させる。
【００４９】
そしてＣＰＵ３５は、ＲＦアンプ２６及び光ピックアップ２７を順次介して光ビームを光ディスク１２に照射すると共に、この光ディスク１２からの反射光に基づく信号Ｓ８（アディショナルインフォメーション３）を光ピックアップ２７及びＲＦアンプ２６から供給される。
【００５０】
このときＣＰＵ３５は、供給された信号Ｓ８に基づいて、アウターパワーキャリブレーションエリアアドレスを特定し、この特定結果に基づいてアウターパワーキャリブレーションエリアにおけるパワーキャリブレーションの実施回数を認識する。
【００５１】
ただしリードアウトエリアにおける記録長は、CD−DA（DA；Digital Audio ）の規格書であるレッドブックに規定されているように、少なくとも1 分30秒（径方向で１mmに相当）分だけ確保されるものとする。
【００５２】
そしてＣＰＵ３５は、光ディスク１２における光ビームのビームスポットがパワーキャリブレーションエリア内に入るように光ピックアップ２７を光ディスク１２の径方向に移動させる。
【００５３】
このときＣＰＵ３５は、パワーキャリブレーションエリアの外周側のカウントエリア内において、当該内周側のテストエリアをなす試書き用の1500サブコーディングフレームが全て使い切られたか否かを判別する。
【００５４】
ここでＣＰＵ３５は、パワーキャリブレーションエリアのテストエリアをなす試書き用の1500サブコーディングフレームが全て使い切られていないと判別したときは、テストエリア内の未使用の3 フレームを選択し、さらに選択した各フレームを５つの小領域に分けて、ＲＦアンプ２６及び光ピックアップ２７を順次介して光ビームのパワーを図８に示すように変調しながら試書きデータを順次試書きし、パワーキャリブレーションエリアのカウントエリア内に当該試書きの累積頻度（最大100 回）を記入する。
【００５５】
このとき光ピックアップ２７は、光ディスク１２からの反射光に基づいてアシンメトリを算出し、この算出結果をＲＦアンプ２６経由でアシンメトリ信号Ｓ７としてＣＰＵ３５に送出する。
【００５６】
そしてＣＰＵ３５は、供給されたアシンメトリ信号Ｓ７に基づいて、パワーキャリブレーションエリア内に照射された各光ビームのうちどのパワーが最適であるか否かを判断し、上述のデータＤ１の記録時における最適パワーの設定をする。
【００５７】
ここでＣＰＵ３５は、最適とされるパワーが所定の基準範囲内の値であるときは、パワーキャリブレーションが成功したと判断し、当該最適パワーを記憶するのに対して、最適とされるパワーが所定の基準範囲外の値であるときは、パワーキャリブレーションが失敗したと判断し、再度パワーキャリブレーションをする。
【００５８】
これに対してＣＰＵ３５は、パワーキャリブレーションエリアのテストエリアをなす試書き用の1500サブコーディングフレームが全て使い切られていると判別したときは、光ディスク１２における光ビームのビームスポットがアウターパワーキャリブレーションエリア内に入るように光ピックアップ２７を光ディスク１２の径方向に移動させる。
【００５９】
このときＣＰＵ３５は、パワーキャリブレーションエリアと同様にテストエリア及びカウントエリアで構成されたアウターパワーキャリブレーションエリアのうちの図９に示す当該カウントエリア内において、当該テストエリアをなす試書き用のフレームが全て使い切られたか否かを判別する。
【００６０】
ここでＣＰＵ３５は、アウターパワーキャリブレーションエリアのテストエリアのフレームが全て使い切られていないと判別したときは、アウターパワーキャリブレーションエリアにおいて、上述のようにパワーキャリブレーションエリアにおけるパワーキャリブレーションと同様の処理をする。
【００６１】
これに対してＣＰＵ３５は、アウターパワーキャリブレーションのテストエリアをなすフレームが全て使い切られていると判別したときは、パワーキャリブレーションを終了する。
【００６２】
このようにしてこの光ディスク装置１０においては、パワーキャリブレーションエリアを使い切っているときは、アウターパワーキャリブレーションエリアにおいてパワーキャリブレーションをするようになされている。
【００６３】
（４）記録モード時におけるＣＰＵ３５の処理
次にパワーキャリブレーション時におけるＣＰＵ３５の一連の処理手順について説明する。この光ディスク装置１０において、ＣＰＵ３５は、光ディスク１２が図示しない光ディスクドライブに挿入されると、図１０及び図１１にそれぞれ示すパワーキャリブレーション処理手順ＲＴ１及びＲＴ２に従ってパワーキャリブレーションをする。
【００６４】
すなわちＣＰＵ３５は、光ディスク１２が光ディスクドライブに挿入されると、このパワーキャリブレーション処理手順をＳＰ１において開始する。
【００６５】
次いでＣＰＵ３５は、ステップＳＰ２に進んで、光ディスクの種類を判別する。
【００６６】
すなわちＣＰＵ３５は、サーボ制御部２８及びスピンドルドライバ３０を順次介してスピンドルモータ３１を所定の一定のトルクで回転させ、回転する光ディスク１２の慣性モーメントを図示しない測定手段を介して測定し、当該測定結果に基づいて光ディスク１２の大きさ（半径8[cm] か12[cm]か）を判別する。
【００６７】
続いてＣＰＵ３５は、ＲＦアンプ２６及び光ピックアップ２７を順次介して光ビームを光ディスク１２に照射し、この光ピックアップ２７に、光ディスク１２からの当該反射光の反射率に基づいて、光ディスク１２がCD−RWか又はその他の光ディスク（CD−R 及びCD−ROM （ROM ；Read Only Memory））かを判別させて、当該判別結果を第１媒体判別信号Ｓ８としてＲＦアンプを介して当該ＣＰＵ３５に送出させる。
【００６８】
さらにＣＰＵ３５は、光ピックアップ２７に、上記の光ディスク１２からの反射光に基づいて生成された信号Ｓ９をＡＴＩＰデコーダ部２９に送出させ、次いでＡＴＩＰデコーダ部２９に、供給された信号Ｓ９をデコード処理させ、光ディスク１２におけるそのときのビームスポットの絶対番地を検出したか否か（すなわち、CD−R （検出）かCD−ROM （非検出）か）を判別させて、当該判別結果を第２媒体判別信号Ｓ１０としてＲＦアンプを介して当該ＣＰＵ３５に送出させる。
【００６９】
そしてＣＰＵ３５は、供給された第１媒体判別信号Ｓ８に基づいて、光ディスク１２がCD−RWかその他の光ディスク（CD−R かCD−ROM ）を判別すると共に、供給された第２媒体判別信号Ｓ１０に基づいて、光ディスク１２がCD−R かCD−ROM かを判別する。
【００７０】
続いてＣＰＵ３５は、サーボ制御部２８及びスピンドルドライバ３０を順次介してスピンドルモータの回転制御をさせると共に、サーボ制御部２８並びにスレッドドライバ３０及び２軸アクチュエータドライバ３４を順次介して光ピックアップ２７内のレーザダイオードから照射される光ビームのビームスポットを図２に示すリードインエリアに移動させる。
【００７１】
さらにＣＰＵ３５は、リードインエリアからの反射光に基づく信号Ｓ８（アディショナルインフォメーション３）を光ピックアップ２７及びＲＦアンプ２６から順次供給されると、この信号Ｓ８に基づいて、アウターパワーキャリブレーションエリアアドレスを特定し、この特定結果に基づいてアウターパワーキャリブレーションエリアにおけるパワーキャリブレーションの実施回数を認識する。
【００７２】
次いでＣＰＵ３５は、ステップＳＰ３に進んでホストコンピュータ１１から何らかの命令が与えられるまで待機し、ホストコンピュータ１１から命令が与えられた場合ステップＳＰ４に進んで、この命令が記録命令か否かを判断する。
【００７３】
ここでＣＰＵ３５は、ステップＳＰ４において否定結果を得た場合は、その命令を実行しステップＳＰ３に戻り、再びホストコンピュータ１１から何らかの命令が与えられるまで待機し、これに対してステップＳＰ４において肯定結果を得た場合は、ステップＳ６に進んでパワーキャリブレーションが終了しているか否かを判断する。
【００７４】
ここでＣＰＵ３５は、ステップＳＰ６において否定結果を得た場合は、ステップＳP７に進んでパワーキャリブレーションを開始し、続くステップＳＰ８において光ビームのビームスポットの位置がパワーキャリブレーションエリア内に入るように光ピックアップ２７を移動させる。
【００７５】
次いでＣＰＵ３５は、ステップＳＰ８に進んで、パワーキャリブレーションエリアが全て使い切られたか否かを判別する。
【００７６】
ここでＣＰＵ３５は、ステップＳＰ８において否定結果を得た場合には、ＳＰ９に進んでパワーキャリブレーションエリアのテストエリア内の未使用の3 フレームを選択し、選択した各フレームを5 つの小領域に分けてＲＦアンプ２６及び光ピックアップ２７を順次介して光ビームのパワーを変調しながら合計15の小領域に試書きデータを順次試書きすると共に、パワーキャリブレーションエリアのカウントエリア内にパワーキャリブレーションの累積頻度を記入する。
【００７７】
そしてＣＰＵ３５は、上述のように光ピックアップ２７から供給されたアシンメトリ信号Ｓ７に基づいて、パワーキャリブレーションエリア内に照射された各光ビームのうちどのパワーが最適であるか否かを判断し、上述のデータＤ１の記録時における最適パワーを検出する。
【００７８】
ここでＣＰＵ３５は、最適とされるパワーが所定の基準範囲内の値であるときは、パワーキャリブレーションが成功したと判断し、ステップＳＰ１４に進んでパワーキャリブレーションを終了するのに対して、最適とされるパワーが所定の基準範囲外の値であるときは、パワーキャリブレーションが失敗したと判断し、ステップＳＰ８に戻る。
【００７９】
これに対してＣＰＵ３５は、ステップＳＰ８において肯定結果を得た場合には、ステップＳＰ１０に進んで、メモリ４２にアディショナルインフォメーション３が格納されているか否かを判別する。
【００８０】
ここでＣＰＵ３５は、ステップＳＰ１０において否定結果を得た場合には、光ディスク１２が例えば80分記録用光ディスクのように外周いっぱいに記録されるためにアウターパワーキャリブレーションを設けることができないものであると認識し、ステップＳＰ１４に進んでパワーキャリブレーションを終了する。
【００８１】
これに対してＣＰＵ３５は、ステップＳＰ１０において肯定結果を得た場合には、光ディスク１２が例えば74分記録用光ディスクのようなアウターパワーキャリブレーションを設ける余裕を有するものであると認識する。
【００８２】
次いでＣＰＵ３５は、ステップＳＰ１１に進んで、ホストコンピュータ１１により予め設定される記録モードが、上述のDAO モードか、光ディスク１２に記録データＤ１を何度でも記録し直せるリライタブルモードかを判別する。
【００８３】
ここでＣＰＵ３５は、ステップＳＰ１１において記録モードとしてＤＡＯモードを得た場合には、当該DAO モードで記録された光ディスク１２を、アウターパワーキャリブレーションエリアを形成することを規定していない上述のレッドブック及びイエローブック（CD−ROM （ROM ；Read Only Memory）の規格書）に準拠させる必要があるため、若しくはDAO モードによる記録時においてアウターパワーキャリブレーションエリアに相当する領域を他の目的として使用することがあるため、リードアウトエリアの外周側にアウターパワーキャリブレーションエリアを形成することなく、ステップＳＰ１４に進んでパワーキャリブレーションを終了する。
【００８４】
これに対してＣＰＵ３５は、ステップＳＰ１１において記録モードとしてリライタブルモードを得た場合には、当該リライタブルモードで記録された光ディスク１２を、アウターパワーキャリブレーションエリアを形成することを禁止していないことを規定する上述のオレンジブックに準拠させればよいと認識する。
【００８５】
次いでＣＰＵ３５は、ステップＳＰ１２に進んで、アウターパワーキャリブレーションエリアが全て使い切られたか否かを判別する。
【００８６】
ここでＣＰＵ３５は、ステップＳＰ１２において否定結果を得た場合には、ステップＳＰ１３に進んで、上述のステップＳＰ９と同様に、アウターパワーキャリブレーションエリアにおいてパワーキャリブレーションをし、パワーキャリブレーションが成功したときはステップＳＰ１４に進んでパワーキャリブレーションを終了するのに対して、パワーキャリブレーションが失敗したときは上述のステップＳＰ１２に戻る。
【００８７】
これに対してＣＰＵ３５は、ステップＳＰ１２において肯定結果を得た場合には、ステップＳＰ１４に進んでパワーキャリブレーションを終了する。
【００８８】
ＣＰＵ３５は、ステップＳＰ１４においてパワーキャリブレーションを終えると、ステップＳＰ１５に進んで、ホストコンピュータ１１から与えられるデータＤ１の光ディスク１２への記録処理をさせ、続くステップＳＰ１６においてホストコンピュータ１１から与えられた全てのデータＤ１の記録処理が終了したか否かを判断する。
【００８９】
ここでＣＰＵ３５は、ステップＳＰ１６において肯定結果を得た場合は、ステップＳＰ３に戻り、再びホストコンピュータ１１から何らかの命令が与えられるまで待機し、これに対してステップＳＰ１６において否定結果を得た場合は、上述のようにホストコンピュータ１１から与えられるデータＤ１の光ディスク１２への記録動作を継続させる。
【００９０】
（５）本実施の形態の動作及び効果
以上の構成において、この光ディスク装置１０では、パワーキャリブレーションエリアを使い切っているときは、アウターパワーキャリブレーションエリアにおいてパワーキャリブレーションをするようになされている。従って、この光ディスク装置１０では、パワーキャリブレーションエリアを使い切っても、光ビームの最適なパワーを検出し、検出した最適なパワーの光ビームによる記録を続けることができる。
【００９１】
以上の構成によれば、パワーキャリブレーションエリアを使い切っているときは、アウターパワーキャリブレーションエリアにおいてパワーキャリブレーションをさせることで、光ビームの最適なパワーを検出し、検出した最適なパワーの光ビームによる記録を続けることができ、かくして光ディスク１２に対する記録の信頼性を向上させ得る記録装置を実現できる。
【００９２】
（６）他の実施の形態
なお上述の実施の形態では、本発明をCD−R に対応する光ディスク装置に適用する場合について述べたが、本発明はこれに限らず、例えばCD−R 以外のCD−RWやDVD −RAM （DVD ：Digital Versatile Disc）等の書き込み可能な光ディスクその他種々のリライタブル型の記録装置に適用することができる。
【００９３】
また上述の実施の形態によれば、パワーキャリブレーションエリアを使い切ったときにアウターパワーキャリブレーションエリアに切り替える場合について述べたが、本発明はこれに限らず、例えばパワーキャリブレーションエリアにパワーキャリブレーションをすることができない程度の傷がある場合に、アウターパワーキャリブレーションエリアに切り替えてもよく、またはアウターパワーキャリブレーションエリアを使い切った場合に、パワーキャリブレーションエリアに切り替えてもよい。
【００９４】
また上述の実施の形態によれば、線速度一定（CLV ；Constant Linear Velocity）モード又は角速度一定（CAV ；Constant Angular Velocity ）モードの何れのモードでデータＤ１を記録するかは明記しなかったが、CAV モードでデータを記録する場合は、光ディスク１２の外周における線速度は内周における線速度の約２．５倍もあるため、当該径方向に応じて光ビームのパワーを調整する必要がある。かかる場合は、パワーキャリブレーションエリア及びのアウターパワーキャリブレーションエリアのそれぞれにおいてパワーキャリブレーションをし、これらのエリアのパワー検出結果に基づいて、当該径方向に応じた光ビームの最適なパワーを設定してもよい。
【００９５】
さらに上述の実施の形態によれば、光ディスク１２の試書き領域に試書きデータを試書きする試書き手段を、光ピックアップ２７、ＲＦアンプ２６及びこれらを制御するＣＰＵ３５とから構成するようにしたが、本発明はこれに限らず、これら一体として設けるようにしてもよい。
【００９６】
さらに上述の実施の形態によれば、試書き手段により試書きされた試書きデータを再生し、再生した試書きデータに基づいて光ビームの最適なパワーを検出する検出手段を、試書き手段と同様に光ピックアップ２７、ＲＦアンプ２６及びこれらを制御するＣＰＵ３５とから構成するようにしたが、本発明はこれに限らず、これら一体として設けるようにしてもよい。
【００９７】
【発明の効果】
上述のように本発明によれば、記録データが記録される記録媒体において、光ビームの最適なパワーを検出するための試書きデータが試書きされる試書き領域と、試書きデータが試書きされる他の試書き領域とを有し、試書き領域は記録データ記録領域より内周側の所定の領域に設けられ、他の試書き領域は上記記録データ記録領域より外周側の領域に設けられ、他の試書き領域の開始アドレスは記録媒体を再生して得られるインデックス情報に基づいて特定されるようにしたことにより、拡張された他の試書き領域の開始位置を内周側の情報から直接に特定して試書きできるので、光ビームの最適なパワーを検出して最適なパワーの光ビームによる記録を行うことができ、かくして最適なパワーの光ビームによる記録が行ない得る記録媒体を実現できる。
【図面の簡単な説明】
【図１】本実施の形態により光ディスク装置の回路構成を示すブロック図である。
【図２】光ディスクのレイアウトを示す側面図である。
【図３】１フレームの構成図である。
【図４】１ブロックの構成図である。
【図５】Ｑチャネルの論理的なフォーマットを示す図である。
【図６】Ｑチャネルデータの内容を示す図である。
【図７】パワーキャリブレーションエリア内の試書きの説明に供する図である。
【図８】パワーの変調過程を示すグラフである。
【図９】アウターパワーキャリブレーションエリア内の試書きの説明に供する図である。
【図１０】パワーキャリブレーションに関する処理手順を示すフローチャートである。
【図１１】パワーキャリブレーションに関する処理手順を示すフローチャートである。
【符号の説明】
１０……光ディスク装置、１１……ホストコンピュータ、１２……光ディスク、２１……エンコード部、２２……バッファメモリ、２７……光ピックアップ、３５……ＣＰＵ、３６……デコーダ部。
【図１】
0004889853.tif 000002
【図２】
0004889853.tif 000003
【図３】
0004889853.tif 000004
【図４】
0004889853.tif 000005
【図５】
0004889853.tif 000006
【図６】
0004889853.tif 000007
【図７】
0004889853.tif 000008
【図８】
0004889853.tif 000009
【図９】
0004889853.tif 000010
【図１０】
0004889853.tif 000011
【図１１】
0004889853.tif 000012